(57)【特許請求の範囲】
【請求項１】
マルチプルビュー指向性ディスプレイを駆動する方法であって、
該ディスプレイを構成する各ピクセルの画像データは、ピクセル毎にピクセルの意図するビュー方向が特定されるように構成したものであり、
該方法は、該ディスプレイに、該ディスプレイの選択されたピクセルの画像データを供給する工程を包含し、
該選択されたピクセルの該画像データは、該選択されたピクセルの意図されたビュー方向を特定する、方法。
【請求項２】
前記選択されたピクセルの前記画像データが、該選択されたピクセルの意図されたビュー方向を特定するための情報を含む、請求項１に記載の方法。
【請求項３】
前記選択されたピクセルの前記表示データに基づいて、前記ディスプレイの該選択されたピクセルに電圧を印加する工程をさらに包含する、請求項１または２に記載の方法。
【請求項４】
前記画像データがデジタルデータである、請求項１〜３のいずれか１項に記載の方法。
【請求項５】
画像データとしてデータワードのシーケンスを供給する工程を包含し、各データワードは前記ディスプレイのそれぞれのピクセルに関係する、請求項４に記載の方法。
【請求項６】
各データワードが、前記それぞれのピクセルの意図されたビュー方向を特定するための情報を含む、請求項５に記載の方法。
【請求項７】
各データワードが、前記それぞれのピクセルの所望の輝度を特定するための輝度情報を含む、請求項５または６に記載の方法。
【請求項８】
前記画像データをデジタルアナログ変換し、前記ピクセルまたは該それぞれのピクセルに印加される電圧を得る工程を包含する、請求項４〜７のいずれか１項に記載の方法。
【請求項９】
前記デジタルアナログ変換工程が、前記ピクセルまたは該それぞれのピクセルの情報に基づいて、該ピクセルにまたは該それぞれのピクセルに印加される電圧の範囲を決定する工程を包含する、請求項８に記載の方法。
【請求項１０】
前記デジタルアナログ変換工程が、該ピクセルまたは該それぞれのピクセルの情報に基づいて、該ピクセルにまたは該それぞれのピクセルに印加される電圧の範囲を決定する工程を包含し、
該デジタルアナログ変換工程が、前記輝度情報に基づいて、前記決定された電圧範囲内の電圧を選択する工程をさらに包含する、請求項７に記載の方法。
【請求項１１】
前記画像データをデジタルアナログ変換し、前記ピクセルまたは該それぞれのピクセルに印加される電圧を得る工程を包含し、
該デジタルアナログ変換工程が、該ピクセルまたは該それぞれのピクセルの情報に基づいて、該ピクセルにまたは該それぞれのピクセルに印加される電圧の範囲を決定する工程を包含し、
該デジタルアナログ変換工程が、前記輝度情報に基づいて、前記決定された電圧範囲内の電圧を選択する工程をさらに包含する、請求項７に記載の方法。
【請求項１２】
ピクセルの意図されたビュー方向を特定するための前記情報が、該ピクセルの意図された観測者を特定するための観測者情報である、請求項２〜１１のいずれか１項に記載の方法。
【発明の詳細な説明】
【技術分野】
【０００１】
本発明は、マルチビュー指向性ディスプレイを駆動する方法に関する。マルチビュー指向性ディスプレイは、２つ以上のイメージを表示することができ、これにより、異なった方向から各イメージを見ることができる。従って、異なった方向からディスプレイを見る２人の観測者が互いに異なったイメージを見得る。このようなディスプレイは、例えば、自動立体視表示デバイスまたはデュアルビュー表示デバイスとして用いられ得る。
【背景技術】
【０００２】
従来の表示デバイスは、長年、複数のユーザーが同時に見るように設計されてきた。表示デバイスの表示特性は、複数の観測者が、ディスプレイに対して異なった角度から同一の良質なイメージを見ることができるように作成される。これは、複数のユーザーが、空港および駅における出発情報の表示などのディスプレイから同一の情報を必要とする用途において有効的である。しかし、個々のユーザーが、同一のディスプレイから異なった情報を見得ることが望ましい用途は多くある。例えば、自動車において、運転手が衛星ナビゲーションデータを見ることを望み得、その一方で、同乗者が映画を見ることを望み得る。この相反する要求は、２つの別個の表示デバイスを用意することにより満たされ得るが、これは、余分な空間を占め、かつ、費用がかさむ。その上、この例において２つの別個のディスプレイが用いられる場合には、運転手が頭を動かすと、運転者は同乗者のディスプレイを見ることができるが、これは運転手の気を散らし得る。さらなる例として、２人以上のプレーヤー向けのコンピュータゲームをする各プレーヤーは、自分の視点からゲームを見たいと望み得る。これは、現在、各プレーヤーが別個の表示画面を見ることにより達成され、これにより、各プレーヤーは個々の画面上における自分固有の視点を見る。しかしながら、各プレーヤーに別個の表示画面を用意することにより、多くの空間が占められ、費用がかかり、ポータブルゲームには実用的でない。
【０００３】
こうした問題を解決するために、マルチビュー指向性ディスプレイが開発されている。マルチビュー指向性ディスプレイの１つの用途は、「デュアルビューディスプレイ」としての用途であり、２つ以上の異なったイメージを同時に表示することができ、各イメージは特定の方向にのみ見ることができる。従って、１つの方向から表示デバイスを見る観測者は１つのイメージを見い得、別の異なった方向から表示デバイスを見る観測者は異なったイメージを見い得る。二人以上のユーザーに異なったイメージを表示し得るディスプレイは、２つ以上の別個のディスプレイを使用する場合と比べ、空間および費用の相当な節約を提供する。
【０００４】
マルチビュー指向性ディスプレイのさらなる利点は、ユーザーが相手の光景を見ることを防ぎ得るということである。これは、上記のコンピュータゲームの例における用途においてのみならず、例えば現金自動預入支払機（ＡＴＭ）を用いる銀行または売買取引などの安全を必要とする用途において望ましい。
【０００５】
マルチビュー指向性ディスプレイのさらなる用途は、三次元表示を生成する用途である。正視の場合には、人間の２つの眼は、頭の異なった位置にあるために、異なった視点から世界の光景を知覚する。次いで、脳は、この２つの視点を用いて、シーンにおける様々な物体の距離を判断する。３次元イメージを効果的に表示するディスプレイを作成するためには、この状況を再現し、イメージのいわゆる「立体視ペア」、すなわち１つのイメージを観測者の各眼に供給する必要がある。
【０００６】
３次元ディスプレイは、眼に異なった光景を供給するために用いる方法に応じて、２つのタイプに分類される。立体視ディスプレイは、通常、立体視イメージペアの２つのイメージを広い表示画面にわたり表示する。各光景は、例えばディスプレイの色、偏光状態、または時間によりコード化される。ユーザーは、光景を分離し、各眼にその眼に向けられた光景のみを見させるフィルタシステム眼鏡をかける必要がある。
【０００７】
自動立体視ディスプレイは、右眼用光景および左眼用光景を異なった方向に表示し、これにより、各光景は、空間のそれぞれの定められた領域からのみ見ることができる。ディスプレイのアクティブな領域全体にわたってイメージを見ることができる空間の領域は、「ビューウィンドウ」と呼ばれる。観測者の左眼が立体視ペアの左眼用の光景のビューウィンドウにあり、観測者の右眼がそのペアの右眼用の光景のビューウィンドウにあるように観測者が位置する場合には、観測者の各眼には正確な光景が見え得、３次元イメージが知覚され得る。自動立体視ディスプレイでは、観測者が視覚補助具を着用する必要はない。
【０００８】
自動立体視ディスプレイの原理は、デュアルビューディスプレイの原理と類似する。しかし、自動立体視ディスプレイに表示される２つのイメージは、立体視イメージペアの左眼用イメージおよび右眼用イメージであり、従って、互いに独立したものではない。その上、２つのイメージは１人の観測者に見えるように表示され、１つのイメージは観測者の各眼に見える。
【０００９】
図１を参照しながら、デュアルビューディスプレイの動作を説明する。図１は、表示ピクセル２の複数の列を備えるデュアルビューディスプレイ１の模式的な平面図である（ピクセルの列は図１の平面に広がる）。図２に示されるピクセル２は、以下に説明する理由により、ａまたはｂとして示される。
【００１０】
図１は第１の観測者３および第２の観測者５を示す。観測者３および観測者５は、ディスプレイ１の前面から間隔をあけた位置にあり、側面に沿って互いに離れた位置にある。第１の観測者３は、ディスプレイ１の前面に垂直な面の１つのサイドに位置し、第２の観測者５は、ディスプレイ１の前面に垂直な面のもう１つのサイドに位置する。ディスプレイと観測者３と観測者５との相対的な空間配置のために、第１の観測者３は、図１において７として示される第１の近似ビュー方向に沿って第１の視角θ１で、ディスプレイ１を見る。第２の観測者５は、図１において９として示される第２の近似ビュー方向に沿って第２の視角θ２で、ディスプレイ１を見る。第１のビュー方向７と第２のビュー方向９とは、ディスプレイ１の前面に垂直な面の反対サイドにある。
【００１１】
デュアルビューディスプレイ１は、視角により変化する光学性能を有するように作成される。第１の観測者３が第１のビュー方向７に沿ってディスプレイを見る場合には、第１の観測者には第１のイメージ１１が見える。同様に、第２の観測者５が第２のビュー方向９に沿ってディスプレイを見る場合には、第２の観測者には第２のイメージ１３が見える。第１のイメージおよび第２のイメージは、互いに独立して制御可能である。図２を参照しながら、ビュー方向７およびビュー方向９に沿う２つの独立なイメージの表示を実現する方法を以下に記載する。
【００１２】
図２は、液晶ディスプレイのピクセルにおける輝度対印加電圧の特徴的な曲線の１例を示す。液晶ディスプレイが視角によって輝度に変動を示すことは良く知られており、図２は、ピクセルに垂直な面からθ１の角度でピクセルを見るときに現れる第１の輝度対電圧特性１５を示す。第１の輝度対電圧特性１５のとおりに、電圧のレベルＶ１を印加する場合には、ディスプレイは角度θ１で見るとほぼ完全な輝度を示し、電圧のレベルＶ２を印加する場合には、ディスプレイは角度θ１で見るとほぼ最小の輝度を示す。（略して、以下では、用語「電圧のレベルＶ１」を概して「電圧Ｖ１」と短縮する。他も同様。）ピクセルに電圧Ｖ１と電圧Ｖ２との間の電圧を印加することにより、ピクセルは、角度θ１で見ると、電圧Ｖ１を印加する場合に得られる完全な輝度と電圧Ｖ２を印加する場合に得られる最小の輝度との間の輝度を示す。特性１５は、簡略化のために、Ｖ１とＶ２との間の電圧における輝度と印加電圧との直線的な関係により示されるが、実際には、多くの液晶材料は、印加電圧に対して輝度に非直線的な変動を与える輝度対印加電圧特性を有する。
【００１３】
図２は、ピクセルに垂直な面のθ１と反対のサイドにおいてθ２の角度でピクセルを見るときに現れる第２の輝度対印加電圧特性１７をさらに示す。第２の輝度対電圧特性１７のとおりに、電圧Ｖ３を印加する場合には、ディスプレイは角度θ２で見るとほぼ最小の輝度を示し、電圧Ｖ４を印加する場合には、ディスプレイは角度θ２で見るとほぼ完全な輝度を示す。ピクセルに電圧Ｖ３と電圧Ｖ４との間の電圧を印加することにより、ピクセルは、角度θ２で見ると、電圧Ｖ３を印加する場合に得られる最小の輝度と電圧Ｖ４を印加する場合に得られる完全な輝度との間の輝度を示す。この例において、電圧の大小関係はＶ４＞Ｖ３＞Ｖ２＞Ｖ１である。
【００１４】
図１のディスプレイ１をデュアルビューディスプレイとして駆動する１つの方法は、図２を参照して、理解され得る。ディスプレイのａとして示される全てのピクセルには、個々に、Ｖ１〜Ｖ２の範囲にある電圧が供給される。第１の観測者３が視角θ１で見る場合には、ピクセルａの各々は、図２の第１の輝度対印加電圧特性１５に従って、完全な輝度と最小の輝度との間にある個々の輝度を示し、第１の観測者に観測される。第１の観測者に見られる各ピクセルの正確な輝度は、ピクセルに印加される（Ｖ１〜Ｖ２の範囲にある）正確な電圧に依存する。しかしながら、第２の観測者５の場合には、ピクセルａにＶ１〜Ｖ２の範囲にある電圧を印加することにより、これらのピクセルは第２の観測者５に対して最小の輝度で現れる。これは、第２の観測者５が見るピクセルの輝度は、図２の第２の輝度対印加電圧特性１７より決定されるが、Ｖ１〜Ｖ２の範囲にある電圧を印加することにより、第２の輝度対印加電圧特性１７における最小の輝度が生成されるためである。
【００１５】
しかし、逆に、図１のディスプレイ１においてｂとして示される全てのピクセルには、個々に、Ｖ３〜Ｖ４の範囲にある電圧が供給される。第２の観測者５が視角θ２でディスプレイを見る場合には、ピクセル列ｂのピクセルの各々は、図２の第２の輝度対印加電圧特性１７に従って、完全な輝度と最小の輝度との間にある個々の輝度を示し、第２の観測者５に観測される。第２の観測者に見られる各ピクセルの正確な輝度は、ピクセルに印加される（Ｖ３〜Ｖ４の範囲にある）正確な電圧に依存する。しかし、第１の観測者３は全てのピクセルｂを最小の輝度で観測する。これは、第１の観測者３が見るピクセルの輝度は、図２の第１の輝度対印加電圧特性１５より決定されるが、Ｖ３〜Ｖ４の範囲にある電圧を印加することにより、第１の輝度対印加電圧特性１５における最小の輝度が生成されるためである。従って、ピクセルａおよびピクセルｂの作成は異ならず、２つの指向性イメージは、Ｖ１〜Ｖ２の範囲およびＶ３〜Ｖ４の範囲のいずれか一方の範囲にある電圧によりピクセルを駆動することによって、得られる。
【００１６】
要約すると、従って、ピクセルａにＶ１〜Ｖ２の範囲にある電圧を印加することにより、第１の観測者３に、それらのピクセル上に全ての所望のイメージを表示し得る。第２の観測者５は、ピクセルａから生じる均一な暗いバックグランドを観測し得る。しかし、同時に、ピクセルｂにＶ３〜Ｖ４の範囲にある電圧を印加することにより、第２の観測者５に、それらのピクセル上に全ての所望のイメージを表示し得、その一方、第１の観測者３は、単に、ピクセルｂから生じる均一な暗いバックグランドを観測する。従って、２つの独立なイメージがディスプレイ１に同時に表示され得、イメージはイメージ表示層上に織り交ぜられる（例えば、第１のイメージおよび第２のイメージは、それぞれ、奇数番号のピクセルおよび偶数番号のピクセルに表示され得る）。これらのイメージは静止イメージであり得、またはビデオイメージであり得る。
【００１７】
自動立体視ディスプレイの原理は、上述したデュアルビューディスプレイの原理と類似する。しかしながら、自動立体視ディスプレイに表示される２つのイメージは、独立したイメージではなく、立体視イメージペアの左眼用イメージおよび右眼用イメージであり、２つのイメージは異なった観測者に表示されず、観測者の左眼および右眼に表示される。
【００１８】
図１および図２に記載されるタイプのマルチビューディスプレイを駆動するために、入力データは、第１の観測者３に見られるイメージの部分を形成するためのピクセルにＶ１〜Ｖ２の範囲にある電圧が印加されること、および、第２の観測者５に見られるイメージの部分を形成するためのピクセルにＶ３〜Ｖ４の範囲にある電圧が印加されることを確かにするように、所定の配列に配置される。例えば、入力データは、全ての奇数番号の入力ビットを第１の観測者３が見るためのピクセルに関連付け、全ての偶数番号の入力ビットを第２の観測者５が見るためのピクセルに関連付けるように配列され得る。ディスプレイの駆動回路は、奇数番号のピクセルは第１の観測者に関係するということに基づいて動作するように設計され得、奇数番号のピクセルに対して指定された輝度を、それに対応するＶ１〜Ｖ２の範囲にある電圧に変換し得る。同様に、駆動回路は、偶数番目のピクセルが第２の観測者に関係するということを仮定し得、偶数番目のピクセルに対して指定された輝度を、それに対応するＶ３〜Ｖ４の範囲にある電圧に変換し得る。
【００１９】
マルチプルビュー指向性ディスプレイの他のタイプは、２つの表示されるイメージの間に角度分離を供給するために視差光学素子（例えば視差バリアまたはレンズ配列）を含むものとして知られる。このようなディスプレイにおいて、２つのイメージは、同時に表示され、通常は隣接するピクセル列の間に織り交ぜられ、視差光学素子により、１つのイメージが確かに１つの方向にのみ表示され、もう１つのイメージが確かに異なった方向にのみ表示される。このようなディスプレイに２つの別個のアナログ入力を供給することは知られており、１つの入力は各イメージ用である。
【発明の開示】
【課題を解決するための手段】
【００２０】
本発明は、ディスプレイに、ディスプレイの選択されたピクセルの画像データを供給する工程を含むマルチプルビュー指向性ディスプレイを駆動する方法を提供し、このピクセルの画像データは、選択されたピクセルの意図されたビュー方向を特定する。
【００２１】
従来技術のマルチビュー指向性ディスプレイは固定した構成を有し、ディスプレイのピクセルは第１のイメージまたは第２のイメージのいずれか一方に割当てられ、駆動回路はそれに従って設計される。しかしながら、２つのイメージへのピクセルの割当を変更することにより、時折、マルチビュー指向性ディスプレイの構成を変更することが望まれる。例えば、これは、同時係属の英国特許出願第０３２０３６５．０号に記載されているように、２つのイメージの相対範囲を変更することによりなされ得る。これは、シンプルに入力データを変更することにより達成され得るということは考えられ得る。しかしながら、従来のマルチビューディスプレイにおけるピクセル−イメージ割当を変更することにより、駆動回路を再設計する必要があり得る。これは、上記の例を用いると、全ての奇数番号のビットは、第１の観測者に見られるイメージに関連付けられる（かつ、Ｖ１〜Ｖ２の範囲にある駆動電圧を必要とする）ということ、および、全ての偶数番目のビットは、第２の観測者に見られるイメージに関連付けられる（かつ、Ｖ３〜Ｖ４の範囲にある駆動電圧を必要とする）ということはもはや成り立たないためである。
【００２２】
本発明では、ピクセルの入力画像データがピクセルの意図されたビュー方向を特定する。従って、特定の方法（例えば、全ての奇数番目のピクセルを１つのイメージに関係するものとみなし、全ての偶数番目のピクセルを第２のイメージに関係するものとみなす方法）で動作させるために駆動装置を前もって設定する必要はない。駆動回路は、ピクセルの入力画像データから、各ピクセルに適当なものとして、そのピクセルが第１のイメージ１１に関係付けられたものであるか、または、第２のイメージ１３に関連付けられたものであるかを特定し得、かつ、Ｖ１〜Ｖ２の範囲にある電圧またはＶ３〜Ｖ４の範囲にある電圧を選択し得る。従って、ディスプレイを再構成することは、単に入力画像データを変更することにより達成され得るために、シンプルである。駆動回路を再設計する必要はない。
【００２３】
ディスプレイの選択されたピクセルの画像データは、選択されたピクセルの意図されたビュー方向を特定するための情報を含み得る。例えば、選択されたピクセルの画像データは、ピクセルが表示を意図する観測者を特定することにより、選択されたピクセルの意図されたビュー方向を特定する観測者情報を含み得る。
【００２４】
本方法は、選択されたピクセルの画像データに基づいて、ディスプレイの選択されたピクセルに電圧を印加する工程をさらに含み得る。
【００２５】
この画像データはデジタルデータであり得る。
【００２６】
本方法は、画像データとしてデータワードのシーケンスを供給する工程を含み得、各データワードはディスプレイのそれぞれのピクセルに関係する。
【００２７】
各データワードは、それぞれのピクセルの意図されたビュー方向を特定するための情報を含み得る。例えば、各データワードは、ピクセルが表示を意図する観測者を特定することにより、それぞれのピクセルの意図されたビュー方向を特定する観測者情報を含み得る。
【００２８】
各データワードは、それぞれのピクセルの所望の輝度を特定するための輝度情報を含み得る。
【００２９】
本方法は、表示データをデジタルアナログ変換し、ピクセルまたはそれぞれのピクセルに印加される電圧を得る工程を含み得る。
【００３０】
デジタルアナログ変換工程は、ピクセルまたはそれぞれのピクセルの情報に基づいて、ピクセルにまたは該それぞれのピクセルに印加される電圧の範囲を決定する工程を含み得る。本方法は、輝度情報に基づいて、所定の電圧範囲内にある電圧を選択する工程をさらに含み得る。
【００３１】
ピクセルの意図されたビュー方向を特定するための情報は、ピクセルの意図された観測者を特定するための観測者情報であり得る。
【００３２】
（項目１）
マルチプルビュー指向性ディスプレイ（２１）を駆動する方法であって、該ディスプレイを構成する各ピクセル（２５）の画像データは、ピクセル毎にピクセルの意図するビュー方向が特定されるように構成したものであり、該方法は、該ディスプレイに、該ディスプレイの選択されたピクセル（２５）の画像データを供給する工程を包含し、該選択されたピクセルの該画像データは、該選択されたピクセルの意図されたビュー方向を特定する、方法。
【００３３】
（項目２）
上記選択されたピクセル（２５）の上記画像データが、該選択されたピクセル（２５）の意図されたビュー方向を特定するための情報を含む、項目１に記載の方法。
【００３４】
（項目３）
上記選択されたピクセルの上記表示データに基づいて、上記ディスプレイの該選択されたピクセルに電圧を印加する工程をさらに包含する、項目１または２に記載の方法。
【００３５】
（項目４）
上記画像データがデジタルデータである、項目１〜３のいずれか１項に記載の方法。
【００３６】
（項目５）
画像データ（４３）としてデータワード（４１）のシーケンスを供給する工程を包含し、各データワードは上記ディスプレイのそれぞれのピクセルに関係する、項目４に記載の方法。
【００３７】
（項目６）
各データワード（４１）が、上記それぞれのピクセルの意図されたビュー方向を特定するための情報（３９）を含む、項目５に記載の方法。
【００３８】
（項目７）
各データワードが、上記それぞれのピクセル（２５）の所望の輝度を特定するための輝度情報（３７）を含む、項目５または６に記載の方法。
【００３９】
（項目８）
上記画像データをデジタルアナログ変換し、上記ピクセルまたは該それぞれのピクセルに印加される電圧を得る工程を包含する、項目４〜７のいずれか１項に記載の方法。
【００４０】
（項目９）
上記デジタルアナログ変換工程が、上記ピクセルまたは該それぞれのピクセルの情報に基づいて、該ピクセルにまたは該それぞれのピクセルに印加される電圧の範囲を決定する工程を包含する、項目８に記載の方法。
【００４１】
（項目１０）
上記デジタルアナログ変換工程が、上記ピクセルまたは該それぞれのピクセルの情報に基づいて、該ピクセルにまたは該それぞれのピクセルに印加される電圧の範囲を決定する工程を包含し、上記デジタルアナログ変換工程が、上記輝度情報（３７）に基づいて、上記決定された電圧範囲内の電圧を選択する工程をさらに包含する、項目７に記載の方法。
（項目１１）
上記画像データをデジタルアナログ変換し、上記ピクセルまたは該それぞれのピクセルに印加される電圧を得る工程を包含し、該デジタルアナログ変換工程が、該ピクセルまたは該それぞれのピクセルの情報に基づいて、該ピクセルにまたは該それぞれのピクセルに印加される電圧の範囲を決定する工程を包含し、該デジタルアナログ変換工程が、上記輝度情報（３７）に基づいて、上記決定された電圧範囲内の電圧を選択する工程をさらに包含する、項目７に記載の方法。
【００４２】
（項目１２）
ピクセルの意図されたビュー方向を特定するための上記情報（３９）が、該ピクセルの意図された観測者を特定するための観測者情報である、項目２〜１１のいずれか１項に記載の方法。
【００４３】
（摘要）
マルチプルビュー指向性ディスプレイを駆動する方法は、ピクセルの画像データがそのピクセルの意図されたビュー方向を特定するように、画像データを供給する工程を含む。ピクセルの画像データは、例えば意図された観測者を特定することにより、そのピクセルの意図されたビュー方向を特定する情報を含む。１つの例において、ピクセルの画像データは輝度識別フィールド（３７）および観測者識別フィールド（３９）を含む。
【００４４】
本発明により、１つのイメージから別のイメージへと、ディスプレイのピクセルを簡単に再割当てする。これは、単に入力画像データを変更することによって達成され得るためである。駆動回路は、ピクセルの入力画像データからピクセルが関係するイメージを特定し得るために、特定の方法で動作する駆動回路を前もって設定する必要はない。
【発明を実施するための最良の形態】
【００４５】
（好ましい実施形態の詳細な説明）
本発明の好ましい実施形態は、デュアルビューディスプレイを駆動して、第１の観測者に第１の画像を表示し、第２の観測者に第２の画像を表示することを参照して明記される。しかしながら、本発明はこの特定の用途に限られない。
【００４６】
図３は、本発明の駆動方法の実施形態を示す。図３は、画像ディスプレイ層２３を有するデュアルビューディスプレイ２１を示す。複数のピクセル領域２５は画像ディスプレイ層２３内に規定され、これらピクセル２５はマトリクス内に配置される。複数の行電極２７と複数のピクセル電極２９とが設けられ、各ピクセル領域２５は、それぞれの行電極２７とそれぞれの列電極２９との交点にある。行電極２７に印加されたアナログ電圧は、行ドライバ回路３１から制御される。列電極２９に印加されたアナログ電圧は、ディスプレイドライバ回路３３から制御される。
【００４７】
この例では、画像ディスプレイ層は液晶層である。液晶層は典型的に、液晶パネルに組み込まれており、任意の適切な液晶パネルが用いられ得る。液晶パネルの他の部品（例えば、透明基板および偏光板）は図示されていない。液晶層２３は、例えば、スーパーツイストネマチック型であるか、またはアクティブマトリクスツイストネマチック型であり得る。マトリクスアドレス型液晶ディスプレイの概念はよく知られており、適切なアナログ電圧波形を行および列電極に適用することにより、個々のピクセルに印加された電圧の制御を可能にすることが理解される。例えば、液晶層は、液晶層の一方の側面上に配置されたピクセル電極（図示せず）と、液晶層の他方の側面上に配置された共通電極とを介してアクティブにアドレスを取られ得る。この場合、行電極がエレメント（図示せず）を切替えることにより、ピクセル電極をそれぞれの列電極に選択的に接続し、もしくはピクセル電極をそれぞれの列電極から絶縁することを制御する。
【００４８】
画像データは、バスライン３５に沿ってデュアルビューディスプレイに供給される。この実施形態では、バスライン３５はデジタルデータバスラインであり、デュアルビューディスプレイ２１はデジタル画像データ４３を受信する。データバスライン３５は、本質的にシリアルまたはパラレルであり得る。デジタル画像データ４３は、バスライン３５を介してディスプレイドライバ回路３３に入力される。ディスプレイドライバ回路３３は、デジタル画像データ４３のデジタルアナログ変換を行う機能を有する。デジタルアナログ変換のプロセスから生じるアナログ電圧は、典型的に経時的な方法でピクセル２５に供給される。例えば、入力画像データ４３の第１のデータワード４１をディスプレイドライバ３３によってデジタルアナログ変換することから生じる第１のアナログ電圧は、ディスプレイの第１のピクセルに印加され得、入力画像データ４３の第２のデータワード４１をディスプレイドライバ３３によってデジタルアナログ変換することから生じる第２のアナログ電圧は、ディスプレイの第２のピクセルに印加され得、以下同様である。この方法では、ディスプレイ２１の全てのピクセル２５は、ディスプレイ上に画像を形成するようにアドレス指定される。このプロセスは、その後周期的に繰り返され、表示された画像をリフレッシュしたり、または変更したりする。ここでも、そのような駆動技術はよく知られている。
【００４９】
本発明に従って、ディスプレイに供給されたピクセルとしての画像データは、ピクセルの対象とするビューイング方向を識別し、これは、そのピクセルへの画像データにピクセルの対象とするビューイング方向を識別する情報を含むことによって都合よく行われる。例えば、ピクセルとしての画像データは、ピクセルが表示されるときに対象とする観測者を特定し、それによってピクセルの対象とするビューイング方向を識別し得る。
【００５０】
図３において説明される好ましい方法では、デジタル画像データ４３は、一連の別個の画像データワード４１を備える。本発明に従うと、個々のデータワード４１は、そのワードが関連するピクセルの対象とするビューイング方向に関する情報を備える。図３の好ましい実施形態では、個々のデータワード４１は、そのワードが関連するピクセルの対象とする観測者に関する情報を備えており、その結果、ピクセルのデータワード４１は、ピクセルの所望される輝度に関する情報を（輝度データフィールド３７内に）備えており、ピクセルの対象とするビューイング方向に関する情報を（観測者識別フィールド３９内に）備える。
【００５１】
観測者識別フィールド３９と輝度データフィールド３７とが協働するアクションは、観測者識別フィールド３９は１ビットフィールドであり、輝度識別フィールドは２ビットフィールドである例を用いて、図４を参照することによってここで説明される。従って、この例においては、観測者識別フィールドには可能な値が２つあり（バイナリーロジック値「０」またはバイナリーロジック値「１」）、その結果、観測者フィールドは２人の観測者のうちどちらか一方（例えば、図１の第１の観測者３および第２の観測者５）を示し得る。輝度識別フィールドは、「００」、「０１」、「１０」および「１１」（ここで、「００」はバイナリーロジック値「０」の後にバイナリーロジック値「０」が続くことを示し、以下同様である）のように、４つの輝度レベルを示し得、これらは最小輝度レベル、２つの中間輝度レベルおよび最大輝度レベルがあることが想定される。
【００５２】
図４の水平軸は、１ビットの観測者識別フィールド３９と２ビットの輝度識別フィールド３７とを備える８つの可能なデジタルデータワードを示す。図４の縦軸は、８つの可能なデジタルデータワードのデジタルアナログ変換から生じるアナログ電圧レベルを示す。
【００５３】
図１および図２を参照して与えられたデュアルビュー動作の説明を再び参照すると、入力データワードにおける観測者識別フィールド３９の目的がここで理解され得る。観測者識別フィールド３９における「０」の値は、図１における第１の観測者３を示しており、観測者識別フィールドにおける「１」の値は、図１における第２の観測者５を示していることが想定される。入力データワードにおける観測者識別フィールド３９が「０」の値を有する場合、従って、ディスプレイドライバ３３は、Ｖ１からＶ２までの範囲で電圧を引き起こし、デュアルビューディスプレイ２１の対応するピクセル２５に印加される。Ｖ１からＶ２までの範囲内における電圧レベルは、輝度識別フィールド３７によって確定される。データワード４１における輝度データフィールドがあるｎビットのデジタル値を有する場合、第１の観測者３はその後、２ｎ個の可能な輝度レベルのうち１つを有しているピクセルを観察する。しかしながら、第２の観測者５は、輝度識別フィールド３７の値に関係なく、最小の輝度状態にある前記ピクセルを観察する。
【００５４】
代わって、入力データワードの観測者識別フィールド３９が値「１」を有する場合、ディスプレイドライバ回路３３は、Ｖ３からＶ４までの範囲で電圧を引き起こし、デュアルビューディスプレイデバイス２１の対応するピクセル２５に印加される。Ｖ３からＶ４までの範囲内における電圧レベルは、データワードの輝度識別フィールド３７によって確定される。第２の観測者５はここで、輝度識別フィールドによって確定されるように、２ｎ個の可能な輝度レベルのうち１つを有しているピクセルを観察する。第１の観測者３は、輝度識別フィールド３７の値に関係なく、最小の輝度状態にある前記ピクセルを観察する。つまり、ピクセルに印加されるべき電圧の選択は、２段階のプロセスと考えられ得る。電圧レンジは、ピクセルの対象とする観測者に関する情報に基づいて（この例では、観測者識別フィールドに基づいて）選択される。よって、選択された電圧レンジ内の電圧は、ピクセルの輝度情報に基づいて（この例では、輝度識別フィールドに基づいて）選択される。（２段階のプロセスへの言及は説明するためだけであり、駆動電圧の確定は２つの識別可能な別個のステップを含む必要はないことを指摘する。）
よって、例として、データワード「００１」のデジタルアナログ変換は、アナログ電圧Ｖ５という結果になる（ここで、Ｖ２＜Ｖ５＜Ｖ１である）。第１のロジック値「０」は、観測者識別フィールドであり、ピクセルは第１の観測者への表示を対象とすることを識別し、よって電圧レンジＶ１からＶ２が選択される。輝度識別フィールド３７は、値「０１」を有しており、中間輝度レベルを識別する。同様に、データワード「１０１」のデジタルアナログ変換は、アナログ電圧Ｖ６という結果になる（ここで、Ｖ３＜Ｖ６＜Ｖ４である）。第１のロジック値「１」は、観測者識別フィールドであり、ピクセルは第２の観測者５への表示を対象とすることを識別し、よって電圧レンジＶ３からＶ４が選択される。輝度識別フィールド３７は、値「０１」を有しており、この場合も、中間輝度レベルを識別する。
【００５５】
図４は、１ビット観測者識別フィールド３９と２ビット輝度識別フィールド３７とを備える８つの可能なデジタルデータワードの全てに対応するアナログ電圧レベルを示す。観測者識別フィールド３９がデジタル値「０」を有する時の全ての例において、結果として生じるアナログ電圧はＶ１からＶ２までのレンジにおける値を有することは明らかである。同様に、観測者識別フィールド３９がデジタル値「１」を有する時の全ての例において、結果として生じるアナログ電圧はＶ３からＶ４までのレンジにおける値を有する。
【００５６】
本発明は、よって、ディスプレイ２１の各ピクセルが正しい電圧レンジにおける電圧を供給され、その結果、そのピクセル上に表示された画像は対象とするビューイング方向で眼に見えることを保証する単純な方法を提供する。データワード４１はそのワードが関連するピクセルの対象とするビューイング方向を識別し、ディスプレイドライバ回路３３は対象とするビューイング方向に従って適切な電圧レンジ（Ｖ１からＶ２またはＶ３からＶ４）を選択することができる。例えば、奇数のデータワードに電圧レンジＶ１からＶ２を選択し、および偶数のデータワードに電圧レンジＶ３からＶ４を選択するためにディスプレイドライバ回路を予め設計することは必要ではない。
【００５７】
図５および図６は、本発明の利点を説明する。図５は、４つのピクセル７０、７１、７２、７３を備えるデュアルビューディスプレイ７６に表示された画像１１、１３を示す。デュアルビューディスプレイは、入力画像デジタルデータ４３を受信し、この入力画像デジタルデータ４３は一連の４つの３ビット画像データワード７０ａ〜７３ａを備える。各データワードの第１のビットは、観測者識別フィールドを構成し、第２および第３のビットは輝度データフィールドを構成する。第１の画像データワード７０ａは、第１のピクセル７０に対応し、第２の画像データワード７１ａは、第２のピクセル７１に対応し、以下同様である。
【００５８】
ディスプレイドライバ回路（図５には図示せず）は、第１のデータワード７０ａ（「００１」）のデジタルアナログ変換を行い、第１のピクセル７０にアナログ電圧を印加する。ディスプレイドライバ回路は、次に第２のデータワード７１ａ（「１１０」）のデジタルアナログ変換を行い、第２のピクセル７１に結果として生じるアナログ電圧を印加する。この手順は同様に、第３のデータワード７２ａ（「１０１」）およびピクセル７２と、第４のデータワード７３ａ（「０１０」）および第４のピクセル７３とに対して繰り返される。画像１１は、デュアルビューディスプレイ７６の第１の観測者（例えば、図１の第１の観測者３）によって観察された画像である。画像１３は、デュアルビューディスプレイ７６の第２の観測者（例えば、図１の第２の観測者５）によって観察された画像である。
【００５９】
図５における画像１１および画像１３の本質は、以下のように理解され得る。第１のデータワード７０ａ（「００１」）はビット値「０」の観測者識別フィールドを有するので、レンジＶ１からＶ２までにおけるアナログ電圧が従って、デュアルビューディスプレイ７６のディスプレイドライバ回路によって、第１のデータワード７０ａで行われたデジタルアナログ変換の結果としてピクセル７０に印加される。そのレンジ内において正確な電圧レベルは、第１のデータワード７０ａの輝度識別フィールドによって確定される。よって、第１の観測者は、第１のデータワード７０ａの輝度識別フィールドにあるデータ（「０１」）に適切な輝度レベル（図５の画像１１における第１のピクセル７０のシェーディングによって示される）を有するように第１のピクセル７０を見る。第１のピクセル７０に印加された電圧はＶ１からＶ２までのレンジ内にあるので、第２の観測者は、しかしながら、輝度識別フィールドの状態とは関係なく、（図５の画像１３における第１のピクセル７０の完全なシェーディングによって示されるように）最小の輝度レベルを有するように第１のピクセル７０を観察する。
【００６０】
同様に、第２のデータワード７１ａ（「１１０」）は「１」の観測者識別フィールドを有するので、Ｖ３からＶ４までのレンジにおけるアナログ電圧が、従って、デュアルビューディスプレイ７６のディスプレイドライバ回路によってデータワード７１ａで行われたデジタルアナログ変換の結果として第２のピクセル７１に印加される。そのレンジ内において正確な電圧レベルは、第２のデータワード７１ａの輝度識別フィールドによって確定される。よって、第２の観測者は、第２のデータワード７１ａの輝度識別フィールドにあるデータ（「１０」）に適切な輝度レベル（図５の画像１３における第２のピクセル７１のシェーディングによって示される）を有するように第２のピクセル７１を見る。第２のピクセル７１に印加された電圧はＶ３からＶ４までのレンジ内にあるので、第１の観測者は、しかしながら、輝度識別フィールドの状態とは関係なく、（図５の画像１１における第２のピクセル７１の完全なシェーディングによって示されるように）最小の輝度レベルを有するように第２のピクセル７１を観察する。
【００６１】
前記の説明から、第１のそれらのピクセル７０、７３の全てから生成された画像（１１）を観察し、それは、対応するデータワード７０ａ，７３ａにおける観測者識別フィールドは値「０」を有するためであることが理解される。対応するデータワード７１ａにおける観測者識別フィールドは、値「１」を有するため、全てのピクセル７１、７２は第１の観測者に対して最小輝度を有しており、本質的に特徴のない黒い背景を形成する。従って、画像１１の第１のピクセル７０および第４のピクセル７３を、第１の対象とする画像を備えているものと規定することは可能である。それは、これらピクセルの相対的な輝度レベルが第１の観測者の眼に見えるからである。画像１１の第２のピクセル７１および第３のピクセル７２を、第１の背景を備えているものと規定することもまた可能である。それは、これらピクセルは第１の観測者に対して最小の輝度を均一に現わすからである。
【００６２】
同様に、画像１３の第２のピクセル７１および第３のピクセル７２を、第２の対象とする画像を形成するものと規定することは可能であり、なぜならば、これらピクセルの相対的な輝度レベルが第２の観測者の眼に見えるからである。画像１３の第１のピクセル７０および第４のピクセル７３を、第２の背景を備えているものと規定することもまた可能であり、なぜならば、これらピクセルは第２の観測者に対して最小の輝度を均一に現わすからである。
【００６３】
図５の例では、ピクセルの等しい数（いずれの場合も２）を用いて、観測者毎に対象とする画像を形成する。前に述べたように、しかしながら、本発明は２つの画像に割り当てられた表示部分を再構成することを単純にする。これは図６において理解し得る。
【００６４】
図６は、再び、２×２マトリクスに配置された４つのピクセル８３〜８６を有するデュアルビューディスプレイを示す。図１１は、１人の観測者（例えば、図１の第１の観測者３）から見られるようなディスプレイを示し、画像１３は、他の観測者（例えば、図１の第２の観測者５）から見られるようなディスプレイを示す。図６では、第１のピクセル８３、第２のピクセル８４および第３のピクセル８５は、第１の対象とする画像を形成し、第４のピクセル８６のみが第２の対象とする画像を形成する。第１のピクセル８３、第２のピクセル８４および第３のピクセル８５のそれぞれが対応するデータワード８３ａ、８４ａ、８５ａは、観測者識別フィールドにおいて「０」を有し、第４のピクセル８６に対応するデータワード８６ａのみが、観測者識別フィールドにおいて「１」を有する。よって、第１の画像は３つのピクセル８３〜８５から生成されており、１つのピクセル８６のみが第１の画像に黒い背景を形成する。代わりに、第２の画像は１つのピクセル８６から生成されており、３つのピクセル８３〜８５は第２の画像に黒い背景を形成する。
【００６５】
第１の観測者と第２の観測者とが、等しいピクセル数の対象とする画像を見る必要がないことが本発明の特徴である。
【００６６】
本発明は、図２の形式の輝度対印加電圧の特性曲線を有する画像ディスプレイ層を有するディスプレイを用いて使用することに限られない。例えば、前に明記した第１の背景および／または第２の背景は、最小輝度状態におけるピクセルを備えている必要はなく、液晶層の輝度対印加電圧の特性の正確な形式に依って、他の輝度状態にあるピクセルを備え得る。両方のビューイング方向に一定の輝度背景を提供するために、特性曲線１７は、Ｖ１とＶ２との間の電圧に対して実質的に平らであることが好ましく、特性曲線１５は、Ｖ３とＶ４との間の電圧に対して実質的に平らであることが好ましい。
【００６７】
本発明は、２人の観測者のみに限られず、２人より多くの対象とする観測者を有する複数のビューディスプレイに適用され得る。４人の観測者に４つの対象とする画像を生成するように設計された複数ビューディスプレイの場合、例えば、少なくとも２ビットの観測者識別フィールドが必要とされる。（３つの（もしくはそれ以上の）画像を３人の（もしくはそれ以上の）異なる観測者に表示することができるデュアルビューディスプレイは、図２の２人の観測者の例で示されたものよりも、より複雑に変化する輝度／電圧特性を有する材料を用いて得られことができ、（少なくとも１つの視野角から観察されて）印加された電圧が変動するにつれて、単一の高から低への輝度の推移よりも多くの推移を経験する材料が、２人よりも多くの観測者の場合に必要とされる。）
本発明は、回路（例えば、ディスプレイドライバ３３）の正確な本質または基本設計に限定されない。ディスプレイドライバ回路は、例えば、ディスプレイ基板へ結合させるためのシリコンウェーハ（すなわち、シリコンチップ）上に形成された集積回路であり得る。あるいは、ディスプレイドライバ回路の全てまたは一部は、例えば、ポリシリコンまたは連続グレインシリコンを用いてディスプレイ基板上に直接形成され得る。
【００６８】
本発明の駆動方法に従って、輝度データフィールドと観測者識別フィールドとを含むデジタル画像データのデジタルアナログ変換を実行するのに適切なディスプレイドライバ回路の例がここで説明される。
【００６９】
図７は、電圧をピクセル１１３（キャパシタンスとして表される）に、単一ゲインバッファ増幅器１１１を介して供給するように設計されたデジタルアナログ変換回路１００を示す。デジタルアナログ変換器は、直列接続で配置された抵抗器１０３ａ〜１０３ｅの抵抗器列１０３を備える。抵抗器列を取り込むデジタルアナログ変換器の機能は、よく知られているが、本発明の観測者識別フィールドと協働するデジタルアナログ変換器の機能は知られていない。
【００７０】
抵抗器列１０３は、スイッチ１０５、１０６、１０７、１０８を介してバッファ増幅器１１１の入力に接続される。これらスイッチのそれぞれの一端は、抵抗器列のうち２つの隣接する抵抗器間の接合点に接続されており、例えば、スイッチ１０５の１つの端子は、抵抗器列の第１の抵抗器１０３ａと第２の抵抗器１０３ｂとの接合点に接続され、スイッチ１０５〜１０８のそれぞれの第２の端子は、緩衝増幅器１１１の入力に接続される。
【００７１】
デジタルアナログ変換回路１００は、輝度データバス１１５上にデジタル輝度識別フィールドデータ（「ＢＩＦ」）を受信する。抵抗器列１０３と緩衝増幅器１１１への入力との間に接続されたスイッチ１０５、１０６、１０７、１０８の状態（すなわち、開いているか、もしくは閉まっているか）は、輝度識別フィールドにあるデジタルデータに従って、輝度識別フィールドデータに基づいて動作するデジタルロジック回路（図示せず）によって設定される。
【００７２】
抵抗器列１０３の一端は、第１のスイッチ１１７を介して電源Ｖ１または第２のスイッチ１２３から電源Ｖ３のどちらか一方へ接続可能である。抵抗器列１０３の他方の端は、第３のスイッチ１２１を介して電源Ｖ４または第４のスイッチ１１９から電源Ｖ２のどちらか一方へ接続可能である。
【００７３】
デジタルアナログ変換回路１００は、ビットライン１３０上で観測者識別フィールド（ＯＩＦ）のデジタルデータを受信する。ビットライン１３０からの入力を用いて、抵抗器列１０３の端を電源Ｖ３およびＶ４に接続する第２のスイッチ１２３および第３のスイッチ１２１を制御する。ビットライン１３０からの入力をまた用いて、インバータ１１８を通過後、抵抗器列１０３の端を電源Ｖ１およびＶ２に接続する第１のスイッチ１１７および第４のスイッチ１１９を制御する。ＯＩＦがロジック値「０」を有する場合には、インバータ１１８からの出力はロジック値「１」であり、第１のスイッチ１１７と第４のスイッチ１１９とは閉じられるが、第２のスイッチ１２３と第３のスイッチ１２１は開いている。その結果、抵抗器列１０３は、電圧Ｖ１と電圧Ｖ２との間に接続または「ピンで固定」される。その結果、ピクセル１１３に印加されたアナログ電圧は、その後、Ｖ１からＶ２までのレンジにあるように制約される（印加されたアナログ電圧の正確な値は、抵抗器列１０３と単一ゲインバッファ増幅器１１１との間に接続されたスイッチ１０５〜１０８の状態によって決定される）。
【００７４】
同様に、ＯＩＦがロジック値「１」を有する場合には、第１のスイッチ１１７と第４のスイッチ１１９とは開いているが（インバータ１１８からの出力がロジック値「０」であるので）、第２のスイッチ１２３と第３のスイッチ１２１は閉じている。よって、ピクセル１１３に印加されたアナログ電圧は、その後、Ｖ３からＶ４までのレンジにあるように制約される（この場合も、印加されたアナログ電圧の正確な値は、抵抗器列１０３と単一ゲインバッファ増幅器１１１との間に接続されたスイッチ１０５〜１０８の状態によって決定される）。
【００７５】
デジタルアナログ変換回路１００は、観測者識別フィールドに含まれるデジタルデータに基づいて、選ばれたレンジ（Ｖ１からＶ２までのレンジ、またはＶ３からＶ４までのレンジのどちらか一方）に、ピクセル１１３に印加された電圧を制限する機能を行うことは、前記の説明から明らかである。複数のピクセルは、例えば、シフトレジスタ・マルチプレックス回路（図示せず）を用いてデジタルアナログ変換回路１００の出力をマルチプレックスすることによって、図７に示したものと同様の方法でアドレス指定され得る。
【００７６】
図８は、本発明の方法を実現するのに用いられ得る別のデジタルアナログ変換回路１４０を示す。デジタルアナログ変換回路１４０は、ここでも、単一ゲインバッファ増幅器１４５を介してピクセル１４６（この場合も、キャパシタンスと表される）にアナログ電圧を供給するように設計される。デジタルアナログ変換回路１４０は、図７の変換回路１００と同一の一般原則で動作するが、これは２つの抵抗器列１４２、１４４を備える。
【００７７】
第１の抵抗器列１４２の一端は、第１のスイッチ１６０によって電源Ｖ２に接続されており、第１の抵抗器列１４２の他方の端は、第２のスイッチ１６１によって電源Ｖ１に接続される。第１の抵抗器列１４２は、スイッチ１５０、１５１、１５２、１５３を介してバッファ増幅器１４５の入力に接続されており、各スイッチは一端が抵抗器列のうち２つの隣接する抵抗器間の接合点において、かつ、スイッチ１５０、１５１、１５２、１５３と直列接続で配置された第３のスイッチ１６５によって接続されている。第２の抵抗器列１４４の一端は、第４のスイッチ１６３によって電源Ｖ３に接続されており、第２の抵抗器列１４４の他方の端は、第５のスイッチ１６４によって電源Ｖ４に接続される。第２の抵抗器列１４４は、スイッチ１５４、１５５、１５６、１５７を介してバッファ増幅器１４５の入力に接続されており、各スイッチは一端が第２の抵抗器列１４４のうち２つの隣接する抵抗器間の接合点において、かつ、スイッチ１５４、１５５、１５６、１５７と直列接続で配置された第６のスイッチ１６６によって接続されている。
【００７８】
デジタルアナログ変換回路１４０は、輝度データバス１４８上にデジタル輝度識別フィールドデータ（「ＢＩＦ」）を受信する。第１の抵抗器列１４２とバッファ増幅器１４５への入力との間に接続されたスイッチ１５０〜１５３の状態（すなわち、開いているか、もしくは閉まっているか）と、第２の抵抗器列１４４とバッファ増幅器１４５への入力との間に接続されたスイッチ１５４〜１５７の状態とは、輝度識別フィールドにあるデジタルデータに従って、輝度識別フィールドデータ上で働いているデジタルロジック回路（図示せず）によって設定される。
【００７９】
デジタルアナログ変換回路１４０はまた、ＯＩＦバスライン１４９に沿って、入力デジタル観測者識別フィールド（ＯＩＦ）を受信する。ＯＩＦバスライン１４９は、インバータ１５８を介して、第１の抵抗器列１４２の第１、第２および第３のスイッチ１６０、１６１、１６５を制御し、また、第２の抵抗器列１４４の第４、第５および第６のスイッチ１６３、１６４、１６６を制御する。
【００８０】
図７と比較して、図８の変換回路の動作は明確に理解される。ＯＩＦデータがロジック値「０」を有する場合には、インバータ１５８からの出力はロジック値「１」であり、第１、第２および第３のスイッチ１６０、１６１、１６５は閉められる。第１の抵抗器列１４２は、その後、電圧Ｖ１と電圧Ｖ２との間にピンで固定され、Ｖ１からＶ２までのレンジにおけるアナログ電圧は従って、第３のスイッチ１６５を介してピクセル１４６に印加される（印加されたアナログ電圧の正確な値は、第１の抵抗器列１４２と第３のスイッチ１６５との間に接続されたスイッチ１５０〜１５３の状態によって決定される）。それと同時に、第４、第５および第６のスイッチ１６３、１６４、１６６は開いており、その結果、第２の抵抗器列１４４は電源Ｖ３、Ｖ４から、かつ、緩衝増幅器１４５への入力から絶縁される。
【００８１】
同様に、ＯＩＦデータがロジック値「１」を有する場合には、第４、第５および第６のスイッチ１６３、１６４、１６６は閉められる。第２の抵抗器列１４４は、その後、電圧Ｖ３と電圧Ｖ４との間にピンで固定され、Ｖ３からＶ４までのレンジにおけるアナログ電圧は従って、第６のスイッチ１６６を介してピクセル１４６に印加される（印加されたアナログ電圧の正確な値は、第２の抵抗器列１４４と第６のスイッチ１６６との間に接続されたスイッチ１５４〜１５７の状態によって決定される）。それと同時に、インバータ１５８からの出力はロジック値「０」であり、第１、第２および第３のスイッチ１６０、１６２、１６５は開いており、その結果、第１の抵抗器列１４２は電源Ｖ１、Ｖ２から、かつ、緩衝増幅器１４５への入力から絶縁される。
【００８２】
図７および図８の実施形態は、ロジック状態「１」で閉まり、ロジック状態「０」で開くスイッチを使用する。しかしながら、これら実施形態はこれに限られず、代わりに、インバータ１１８、１５８を適切に別な場所に移すことによって、ロジック状態「０」で閉まり、ロジック状態「１」で開くスイッチを用いて実行され得る。
【００８３】
図８の回路は、２つの抵抗器列１４２、１４４は同一であることに制約されず、従って、アナログ電圧の別個の２組（あるいは、同等に区別可能なガンマ補正）がＯＩＦデータの状態に従ってピクセル１４６に印加され得るという利点を有する。この実施形態は、液晶層が、２つの対象とする見る位置（互いが鏡像ではない位置）に対する輝度対印加された電圧の特性曲線１５、１７を有する場合、特に有利であり得る。
【００８４】
図９は、利得統一緩衝増幅器１７２を介してピクセル１７３（ここでも、キャパシタンスとして表される）にアナログ電圧を供給するように設計されるデジタルアナログ変換回路１７０のさらなる例を示す。デジタルアナログ変換回路１７０は、スイッチキャパシタアレイ１７１を備える。そのようなスイッチキャパシタデジタルアナログ変換回路はよく知られている。
【００８５】
キャパシタアレイ１７１は、互いに並列に接続された複数のキャパシタ１７４〜１７７を備える。各キャパシタの一端は、バッファ増幅器１７２への入力に接続されており、また、第１のスイッチ１８０を介してポイントＡに接続可能である。ポイントＡは、第２のスイッチ１９０を介して電源Ｖ１に接続され得、または第３のスイッチ１９４を介して電源Ｖ３に接続され得る。各キャパシタ１７４〜１７７の他方の端は、それぞれのスイッチ１８４〜１８７を介して、ポイントＡまたはポイントＢのどちらか一方に接続される。ポイントＢは、第４のスイッチ１９２を介して電源Ｖ２に接続され得え、または第５のスイッチ１９６を介して電源Ｖ４に接続され得る。
【００８６】
デジタルアナログ変換回路１７０は、ＯＩＦバスライン１７８に沿って入力デジタル観測者識別フィールドデータ（ＯＩＦ）を受信する。ＯＩＦバスライン１７８は、インバータ１７９を介して、第２および第４のスイッチ１９０、１９２の状態を制御し、また、第３および第５のスイッチ１９４、１９６を制御する。
【００８７】
第１のスイッチ１８０は、クロックシグナルΦによって制御される。第１の期間、第１のスイッチ１８０は閉じられ、スイッチ１８４、１８５、１８６、１８７は全てのキャパシタ１７４〜１７７の両方のプレートをポイントＡに接続するように設定される。この期間、ポイントＡは、ＯＩＦバスライン１７８において受信されたＯＩＦデータが「０」であるか「１」であるかによって電源Ｖ１または電源Ｖ３に接続される。よって、この第１の期間は、電源Ｖ１または電源Ｖ３がキャパシタアレイの全てのキャパシタの両方のプレートに印加される。
【００８８】
第２の期間では、スイッチ１８０は開いている。第２の期間の開始時において、スイッチ１８４、１８５、１８６、１８７は各個々のキャパシタの下方のプレートを、（１）ポイントＡに接続して、よって電源Ｖ１（ＯＩＦデータが「０」である場合）または電源Ｖ３（ＯＩＦデータが「１」である場合）に接続するか、（２）ポイントＢに接続して、よって電源Ｖ２（ＯＩＦデータが「０」である場合）または電源Ｖ４（ＯＩＦデータが「１」である場合）に接続するように設定される。第２の期間の個々のスイッチ１８４、１８５、１８６、１８７の状態は、ＢＤＦバスライン１８１を介してデジタル輝度識別データ入力の基づいて動作するロジック回路（図示せず）によって決定される。
【００８９】
スイッチキャパシタ回路設計に精通している者によって十分に理解されるように、前記のアクションは第２の期間にキャパシタの間に電荷のシェアリングを引き起こす。デジタルアナログ変換器１７０の出力アナログ電圧は、緩衝増幅器１７２を介してピクセル１７３に印加される電圧であり、Ｖ１からＶ２までの電圧レンジ（ＯＩＦデータフィールドが「０」である場合）またはＶ３からＶ４までの電圧レンジ（ＯＩＦデータフィールドが「１」である場合）のどちらか一方の電圧レンジにある。ＯＩＦデータフィールドから選択されたレンジ内での出力アナログ電圧の正確な値は、輝度識別データフィールドによって確定される。
【００９０】
図９の実施形態は、ロジック状態「１」で閉まり、ロジック状態「０」で開くスイッチを用いる。しかしながら、実施形態はこれに限られず、代わりにインバータ１７９を適切に別な場所に移すことによって、ロジック状態「０」で閉まり、ロジック状態「１」で開くスイッチを用いて実行され得る。
【００９１】
図９の変換回路を修正することによって、２つの分離したキャパシタアレイと、Ｖ１からＶ２までのレンジにおける出力電圧を提供する１つのアレイと、Ｖ３からＶ４までのレンジにおける出力電圧を提供する１つのアレイとを含むことが可能である。２つのキャパシタアレイは、同一であることに制約されず、従って、アナログ電圧の別個の２組（あるいは、同等に区別可能なガンマ補正）がＯＩＦデータの状態に従ってピクセル１７３に印加され得る。
【００９２】
本発明は、ピクセルに印加される電圧の大きさを適切に選ぶことによって、２つの画像が異なるビューイング方向で表示される複数のビュー指向性ディスプレイを参照して説明されてきた。しかしながら、本発明は原則的には、視差光学素子を用いて２つの異なる表示された画像の間で視覚の分離を生成する複数のビュー指向性ディスプレイに適用され得る。特に、再設定され得る視差光学素子を有する複数のビュー指向性ディスプレイは周知である。例えば、視差光学素子はアドレス可能な液晶ディスプレイパネル上に規定された一連の不透明領域および透明領域であり、視差バリヤーを形成し得、その結果、バリヤーの不透明領域および透明領域は、必要ならば、再設定され得る。複数のビュー指向性ディスプレイの視差光学素子が再設定される場合、２つの画像間の画像ディスプレイ層のピクセルの割り当てもまた変更されねばならなく、本発明はこれを成し遂げる容易な方法を提供する。
【００９３】
本発明は、ピクセルとしての画像データが対象とする観測者を識別することによってピクセルの対象とするビューイング方向を識別する実施形態を参照して、上で説明されてきた。しかしながら、本発明はこれに限られず、ピクセルの対象とするビューイング方向は、他の方法で識別され得る。例えば、本発明は２つの画像（左眼の画像と右眼の画像であり、これらが総合して立体的な画像ペアを構成する）を表示する３Ｄディスプレイに適用され得る。この場合、ピクセルとしての画像データは、ピクセルが左眼の画像用であるか右眼の画像用であるかに関する情報を含むことによってピクセルの対象とするビューイング方向を識別し得る。左眼の画像用として識別されたピクセルは、観測者の左眼に表示され、右眼の画像用として識別されたピクセルは、観測者の右眼に表示される。図３の実施形態では、例えば、観測者識別フィールドが、ピクセルが左眼の画像用であるのか、右眼の画像用であるのかを識別するフィールドに置き換えられる。
【図面の簡単な説明】
【００９４】
【図１】従来のデュアルビューディスプレイの概略的な平面図である。
【図２】図１のデュアルビューディスプレイの標準的な輝度対印加された電圧の特性曲線の概略図である。
【図３】本発明の駆動方法の概略図である。
【図４】本発明の駆動方法によって印加される駆動電圧の概略図である。
【図５】本発明の駆動方法のさらなる概略図である。
【図６】本発明の駆動方法のさらなる概略図である。
【図７】本発明の駆動方法を実行する適切な駆動回路の図である。
【図８】本発明の駆動方法を実行する適切な駆動回路の図である。
【図９】本発明の駆動方法を実行する適切な駆動回路の図である。
【符号の説明】
【００９５】
２１  マルチプルビュー指向性ディスプレイ
２５  ピクセル
３３  ディスプレイドライバ回路
３７  輝度情報
３９  イメージ方向特定情報
４１  データワード
４３  画像データ
【図１】
0004610415.tif 000002
【図２】
0004610415.tif 000003
【図３】
0004610415.tif 000004
【図４】
0004610415.tif 000005
【図５】
0004610415.tif 000006
【図６】
0004610415.tif 000007
【図７】
0004610415.tif 000008
【図８】
0004610415.tif 000009
【図９】
0004610415.tif 000010